(57)【特許請求の範囲】
【請求項１】
内容物を収納する包装袋の形状を維持する包装袋用形状維持具であって、前記包装袋の底縁部に装着される少なくとも一対をなす装着体と、同装着体を連繋してなる支持体とを有し、前記装着体は、折曲部を備え、該折曲部を介して折り曲げられており、前記装着体が前記包装袋の底縁部に装着された際には前記折曲部が前記包装袋の底縁部に凹設された凹部内に配置されることを特徴とする包装袋用形状維持具。
【請求項２】
前記包装袋には底縁部に貫通孔が設けられ、前記装着体は同貫通孔に挿通される挿通部を有してなることを特徴とする請求項１に記載の包装袋用形状維持具。
【請求項３】
前記装着体は、前記挿通部が前記包装袋の貫通孔に挿通された状態を保持する抜け止め手段を備えていることを特徴とする請求項２に記載の包装袋用形状維持具。
【請求項４】
前記装着体は、前記包装袋の底縁部に面接触する接触板部を有し、前記抜け止め手段は、前記挿通部と前記接触板部との係合関係によって構成されていることを特徴とする請求項３に記載の包装袋用形状維持具。
【請求項５】
前記抜け止め手段は、前記挿通部の先端部を複数に分割してなる分割片によって構成され、同複数の分割片は、先端へ向かうほど互いに離間するように形成されていることを特徴とする請求項３に記載の包装袋用形状維持具。
【請求項６】
内容物を収納するとともに底縁部に凹部を設けた包装袋と、同包装袋の形状を維持する包装袋用形状維持具とを備えた包装袋ユニットであって、同形状維持具は、前記包装袋の底縁部に装着される少なくとも一対をなす装着体と、同装着体を連繋してなる支持体とを有し、前記装着体は、折曲部を備え、該折曲部を介して折り曲げられており、前記装着体が前記包装袋の底縁部に装着された際には前記折曲部が前記凹部内に配置されてなることを特徴とする包装袋ユニット。
【発明の詳細な説明】
【技術分野】
【０００１】
本発明は、包装袋の自立性を確保する包装袋用形状維持具及び包装袋ユニットに関する。
【背景技術】
【０００２】
従来より、各種飲料や、醤油、ソース、麺つゆ等の液体調味料の他、各種液体洗剤、クレンザー、柔軟剤、エマルジョン糊等の液状物を充填可能とする包装袋が知られている。この種の包装袋としては、以下に示すものが知られている（例えば、特許文献１参照）。すなわち、この特許文献１に記載の包装袋は、樹脂シートより形成されて所定の内容物が収容される本体と、同包装袋の上部に位置する内容物流通口（クロージャー部）とを備えている。包装袋は、二つ折りした底面シートと、下部で底面シートを挟み込む一対の側面シートとから構成されている。このように、一対の側面シートの間において底面シートが二つ折り状態で挟み込まれることで、同包装袋は互いに対向する一対の底縁部１６を有している。そして、これら一対の側面シートと底面シートとが折り重なった部分の一部を略半円弧状に熱溶着することにより、包装袋の底部に溶着部が設けられている。この溶着部は、包装袋の底部における強度及び包装袋の自立性の確保に寄与している。
【特許文献１】特開２００３−２７６７４１号公報
【発明の開示】
【発明が解決しようとする課題】
【０００３】
包装袋は、側面シート及び底面シートともに柔軟性の高い樹脂シートから構成されているため、内容物を包装袋に充填しつつ、底部の溶着部を引っ張り拡げて包装袋の底縁部間の間隔が大きくなるようにしたとしても、包装袋の安定的な自立性を確保できたとは言えない。とくに、内容物の残量が少なくなるにつれて、底面シートが二つ折りした状態に戻りやすくなり、包装袋の底縁部間の間隔が次第に小さくなる可能性が高い。包装袋の底縁部間の間隔が小さくなれば、当然のことながら、包装袋の自立性が損なわれることになるから、自立した状態での包装袋の保管ができなくなる。また、内容物の残量に拘わらず、包装袋を握りしめて持ち上げる場合には、少なからず、底面シートが二つ折りした状態に戻りやすくなる。したがって、握りしめて持ち上げた包装袋を再度、自立させて保管するには、底縁部間の間隔が大きくなるように底面シートを引っ張り拡げてからでなければ、包装袋の安定的な自立は望めない。
【０００４】
この発明は、こうした従来の実情に鑑みてなされたものであり、その目的は、包装袋の自立性を確保してその転倒を抑制することができる包装袋用形状維持具及び包装袋ユニットを提供することにある。
【課題を解決するための手段】
【０００５】
上記の目的を達成するために、請求項１に記載の発明の包装袋用形状維持具は、内容物を収納する包装袋の形状を維持する包装袋用形状維持具であって、前記包装袋の底縁部に装着される少なくとも一対をなす装着体と、同装着体を連繋してなる支持体とを有し、前記装着体は、折曲部を備え、該折曲部を介して折り曲げられており、前記装着体が前記包装袋の底縁部に装着された際には前記折曲部が前記包装袋の底縁部に凹設された凹部内に配置されることを要旨とする。
【０００６】
上記構成によれば、少なくとも一対をなす装着体が包装袋の底縁部に装着され、それら装着体間が支持体で支持されているため、包装袋の底縁部は支持体によって拡げられた状態を保持する。したがって、内容物の収納量に関係なく、包装袋を安定的に自立させることが可能となる。
【０００７】
請求項２に記載の発明の包装袋用形状維持具は、請求項１に記載の発明において、前記包装袋には底縁部に貫通孔が設けられ、前記装着体は同貫通孔に挿通される挿通部を有してなることを要旨とする。
【０００８】
上記構成によれば、装着体の挿通部が包装袋の貫通孔に挿通されることから、包装袋に対する形状維持具（装着体）の装着状態をより堅固なものとすることができ、包装袋と装着体との装着一体性を向上させることができる。
【０００９】
請求項３に記載の発明の包装袋用形状維持具は、請求項２に記載の発明において、前記装着体は、前記挿通部が前記包装袋の貫通孔に挿通された状態を保持する抜け止め手段を備えていることを要旨とする。
【００１０】
上記構成によれば、抜け止め手段を具備することによって、包装袋の底縁部からの形状維持具の脱落を抑制することができる。したがって、包装袋を長期にわたって安定的に自立させることが可能となる。
【００１１】
請求項４に記載の発明の包装袋用形状維持具は、請求項３に記載の発明において、前記装着体は、前記包装袋の底縁部に面接触する接触板部を有し、前記抜け止め手段は、前記挿通部と前記接触板部との係合関係によって構成されていることを要旨とする。
【００１２】
上記構成によれば、包装袋の底縁部に接触板部が面接触することによって、包装袋の底縁部が安定的に拡げられる。また、挿通部と接触板部との係合関係によって包装袋の貫通孔に対する挿通部の抜け出しが防止されていることから、包装袋からの形状維持具の脱落がより確実に防止される。
【００１３】
請求項５に記載の発明の包装袋用形状維持具は、請求項３に記載の発明において、前記抜け止め手段は、前記挿通部の先端部を複数に分割してなる分割片によって構成され、同複数の分割片は、先端へ向かうほど互いに離間するように形成されていることを要旨とする。
【００１４】
上記構成によれば、包装袋の底部に形状維持具を装着する際、複数に分割されてなる挿通部の各分割片を中心側に向けて押し縮めることにより、挿通部の先端部が縮径されて貫通孔に挿通させる。そして、この貫通孔に挿通部を挿通させた後に、縮径されていた挿通部の先端部を解放すると、各分割片が互いに離間する方向へ戻され、挿通部の先端部の断面積が貫通孔の開口断面積を上回ることによって、貫通孔からの抜け止めの機能を発揮する。この構成によれば、挿通部の抜け出し防止構成をより簡単なものとすることができ、また、包装袋への装着も簡単である。
【００１５】
請求項６に記載の発明の包装袋ユニットは、内容物を収納するとともに底縁部に凹部を設けた包装袋と、同包装袋の形状を維持する包装袋用形状維持具とを備えた包装袋ユニットであって、同形状維持具は、前記包装袋の底縁部に装着される少なくとも一対をなす装着体と、同装着体を連繋してなる支持体とを有し、前記装着体は、折曲部を備え、該折曲部を介して折り曲げられており、前記装着体が前記包装袋の底縁部に装着された際には前記折曲部が前記凹部内に配置されてなることを要旨とする。
【発明の効果】
【００１７】
本発明の包装袋用形状維持具及び包装袋ユニットによれば、包装袋の自立性を確保してその転倒を抑制することができる。
【発明を実施するための最良の形態】
【００１８】
以下、包装袋用形状維持具（以下、単に形状維持具という）の一実施形態を図面に基づいて説明する。この形状維持具は、包装袋の底縁部に装着され、同包装袋の自立性を確保するために使用される。ここではまず、参考例としての包装袋について簡単に説明する。
【００１９】
図３（ａ）に示すように、包装袋１０は、内容物を収納する本体１１と、同本体１１の上部に配設される口具１２と、熱可塑性樹脂からなり同本体１１の側縁の外面を覆う補強材１３とを備えて構成されている。
【００２０】
本体１１は、合成樹脂よりなる一対の側面シート１４の間において、同じく合成樹脂よりなる底面シート１５が挟み込まれているとともに、この底面シート１５は二つ折り状態で折り目が前記口具１２側（図３（ａ）においては上側）を向いている。底面シート１５は少なくとも一方の面が熱融着性を有するように形成されているとともに、側面シート１４は少なくとも一方の面が熱融着性を有するように形成されている。ここで、一対の側面シート１４の間において底面シート１５が二つ折り状態で挟み込まれることで、同本体１１は、図３（ｂ）に示すように、一方の側面シート１４及び二つ折りされた一方の底面シート１５からなる一方の底縁部１６と、他方の側面シート１４及び二つ折りされた他方の底面シート１５からなる他方の底縁部１６とからなる、互いに対向する一対の底縁部１６を有している。各底縁部１６には、側面シート１４側と底面シート１５側とを貫通する貫通孔１７が形成されている。貫通孔１７は、連通断面が円形状をなすように構成されていて、側面シート１４の幅方向における中央に形成されている。この貫通孔１７は、後述の形状維持具２０，３０の挿通部２２を挿通させる機能を有している。
【００２１】
図３（ａ）に示すように、口具１２は、本体１１内に収容された内容物の取り出しを容易にするために、本体１１の上縁に設けられる。この口具１２は円筒状をなすとともに、所定の大きさの開口１２ａを有している。そして、口具１２の上部には、開口１２ａを閉鎖して密封するためのキャップ１８が設けられている。同キャップ１８は回動することにより、口具１２に対して脱着自在である。
【００２２】
補強材１３は、射出成形により本体１１の側縁に付与され、同本体１１の側縁に沿う柱形状をなす。なお、この補強材１３の厚さ（一対の側面シート１４の重合方向における厚さ）は特に限定されるものではないが、包装袋１０の保形性や自立性を確保するといった観点から、例えば０．１〜５．０ｍｍ程度が好ましい。
次に、本実施形態の包装袋について説明する。図９（ａ）に示すように、包装袋１０の底縁部１６の略中央（貫通孔１７の直下）に凹部４１を設けるとともに、この凹部４１内に後述する第１実施形態の形状維持具２０における装着体２１を挟着する構成を採用している。
（第１実施形態）
以下、形状維持具の第１実施形態について説明する。
【００２３】
図４に示すように、第１実施形態の形状維持具２０は、ポリプロピレン、アクリロニトリル／ブタジエン／スチレン系樹脂（ＡＢＳ樹脂）等の可撓性を有する合成樹脂より形成されている。そして、同形状維持具２０は、長四角板状をなす一対の装着体２１と、各装着体２１の所定箇所にそれぞれ突設されてなる挿通部２２と、これら一対の装着体２１同士を連繋してなる一対の支持体２３とを有している。
【００２４】
なお本明細書においては、一対の装着体２１のうち相対向する側面を「装着体２１の内面２１ａ」とし、同内面２１ａとは反対側に位置する装着体２１の側面を「装着体２１の外面２１ｂ」とする。これら一対の装着体２１の構成は同一である。そして、包装袋１０の両底縁部１６を拡げることを可能とすべく、装着体２１の外面間距離ｐは、包装袋１０における一対の底縁間距離ｑよりも大きく設定されている（図３（ｂ）及び図４参照）。
【００２５】
この装着体２１の中央部には、厚みを薄肉とすることで、折曲部２５が短手方向Ｔに沿って設けられている。そして、この折曲部２５を介して装着体２１が折り曲げ可能とされている。より詳しくは、同折曲部２５を境界として下方に位置する部位を第１接触板部２６とし、上方に位置する部位を第２接触板部２７とした場合、第１接触板部２６が第２接触板部２７に近づく方向へ折り曲げ可能に構成されている。
【００２６】
装着体２１の下部（第１接触板部２６）外面２１ｂには、挿通部２２が略水平方向に突設されている。この挿通部２２の先端部は球状に形成されている。一方、同装着体２１の上部（第２接触板部２７）には、前記挿通部２２が係合可能とされる円形状の連通断面を有する係合孔２８が穿設されている。これにより、本実施形態の形状維持具２０においては、図５（ａ）及び（ｂ）に示すように、包装袋１０の貫通孔１７に係合孔２８を連通させた状態で、折曲部２５を介して第１接触板部２６を上方へ折り曲げるとともにその挿通部２２を係合孔２８に係合させることにより、包装袋１０の底縁部１６に装着体２１が装着されるようになっている。
【００２７】
また、図４に示すように、第２接触板部２７に設けられた係合孔２８の径ｒは、前記挿通部２２の先端部の径ｓよりも小さく設定されている。このため、同係合孔２８と挿通部２２との係合関係により、包装袋１０の貫通孔１７からの挿通部２２の抜け出しを抑制する抜け止め手段が構成されている。
【００２８】
支持体２３は、細長四角板状をなし、充分な可撓性を有しているため、容易に変形することで装着体２１間の長さ調節が可能に形成されている。すなわち、上記一対の装着体２１を互いに近づく方向へ押し縮めて装着体２１間の間隔を短縮させた場合には、同支持体２３は、外側（他の支持体２３から離間する方向）へ湾曲状に撓むように構成されている。そして、図１及び図５（ｂ）に示すように、形状維持具２０を包装袋１０に装着した場合には、その底縁部１６の内面１６Ａに装着体２１の第２接触板部２７が面接触されて外面１６Ｂに第１接触板部２６が面接触された状態で、挿通部２２が貫通孔１７を通じて係合孔２８に係合されることにより、包装袋１０の底縁部１６に装着体２１が挟着されている。また、図２に示すように、この状態において両支持体２３は、その可撓性に起因して、互いに近づく方向Ｘへ付勢されている。
【００２９】
さて、本実施形態の形状維持具２０を包装袋１０の底縁部１６に装着する場合には、まず図５（ａ）に示すように、形状維持具２０の装着体２１（第２接触板部２７）を包装袋１０の各底縁部１６の内面１６Ａに当接させる。このとき、形状維持具２０の支持体２３はそれぞれ外側へ湾曲して撓み、その支持体２３の付勢力を介して第２接触板部２７が包装袋１０の底縁部１６を押し拡げる。そしてこの状態で、図５（ｂ）に示すように、各装着体２１において、折曲部２５を介して装着体２１の第１接触板部２６を上方へ折り曲げ、同第１接触板部２６の挿通部２２を包装袋１０の貫通孔１７を通じて第２接触板部２７の係合孔２８に係合させる。ここで、本実施形態においては上述したように、この挿通部２２の先端部の径ｓは、係合孔２８の径ｒよりも大きく形成されているため、係合孔２８（包装袋１０の貫通孔１７）からの挿通部２２の抜け出しが抑制される。
【００３０】
このように、包装袋１０の貫通孔１７からの挿通部２２の抜け出しが抑制されることで、装着体２１、ひいては形状維持具２０の位置ずれが極力抑制される。その結果、包装袋１０の底縁部１６に対する形状維持具２０の良好な装着状態が確保される。そして、図２に示すように、支持体２３の所定方向Ｘへの付勢力により包装袋１０の底縁部１６が装着体２１（第２接触板部２７）を介して矢印Ｙ方向へ拡げられた状態が長期にわたって維持される。すなわち、包装袋１０の底縁部１６間の間隔ｑが拡張された状態が維持され、同包装袋１０の安定的な自立を確保することができる。その結果、例えば、内容物の残量が少なくなった場合等においても包装袋１０のバランスが安定して保たれ、その転倒が極力抑制されるようになる。
【００３１】
前記の第１実施形態によって発揮される効果について、以下に記載する。
（１）  形状維持具２０は、一対の装着体２１と、各装着体２１の所定箇所にそれぞれ突設されてなる挿通部２２と、これら一対の装着体２１同士を連繋してなる一対の支持体２３とを有している。そして、形状維持具２０の挿通部２２が包装袋１０の貫通孔１７に挿通された状態で、同包装袋１０の底縁部１６に形状維持具２０が装着される。その際、支持体２３の付勢力により、包装袋１０の底縁部１６間の間隔ｑが拡張されて各底縁部１６が略真円の弧状をなした状態が維持される。したがって、本実施形態によれば、包装袋１０の重心が安定し、包装袋１０の安定的な自立性を確保することができる。
【００３２】
（２）  形状維持具２０の装着体２１には、挿通部２２が係合可能とされる係合孔２８が設けられている。したがって、包装袋１０の底縁部１６に形状維持具２０を装着するに際して、包装袋１０の貫通孔１７に挿通部２２を挿通させた後に、その挿通部２２を係合孔２８に係合させることで、包装袋１０に対する形状維持具２０の装着状態が一層堅固なものとなり、包装袋１０と装着体２１との装着一体性をさらに向上させることができる。
【００３３】
（３）  また、装着体２１は、包装袋１０の底縁部１６に面接触可能な接触板部２７を有している。そのため、包装袋１０の底縁部１６が安定的に拡げられるようになり、包装袋１０の安定的な自立性を長期にわたって確保することができる。
【００３４】
（４）  形状維持具２０の支持体２３は可撓性を有しており、撓みが許容されている。そのため、包装袋１０の底縁部１６の形状（サイズ）に応じて支持体２３の長さが調節可能とされている。これにより、種々の大きさの包装袋１０に対する形状維持具２０の確実な装着が維持されるようになり、形状維持具２０の汎用性を高めることができる。さらに、如何なる大きさの包装袋１０であっても形状維持具２０の装着体２１と包装袋１０との一体性を向上させることができる。すなわち、本実施形態の形状維持具２０によれば、種々の大きさの包装袋１０における安定的な自立性を確保することができる。
（５）図９（ｂ）に示すように、装着体２１の底面２１Ａと包装袋１０の底縁１６Ｃとが同一高さか、もしくは、底面２１Ａが底縁１６Ｃよりも上方に配置されることから、同包装袋１０の安定的な自立を極めて容易に確保することができる。
（参考例）
次に、形状維持具の参考例について説明する。
【００３５】
図６に示すように、参考例の形状維持具３０は、ポリプロピレン、アクリロニトリル／ブタジエン／スチレン系樹脂（ＡＢＳ樹脂）等の可撓性を有する合成樹脂より形成されているとともに、略円柱状をなす一対の装着体２１と、これら一対の装着体２１の基端部同士を連繋してなる一対の支持体２３とを有している。
【００３６】
装着体２１は、先端から基端に向けて切込み３１が設けられることで、その先端部が左右方向に２分割され、一対の分割片３３を有している。図７に示すように、各分割片３３は、先端へ向かうほど他の分割片３３に対して離間するように形成されている。
【００３７】
このように装着体２１の先端部を複数に分割することで、同装着体２１は、その先端部が中心側へ押し縮められた「縮径状態」と、縮径されていた装着体２１の先端部を解放することで、装着体２１の先端部の断面積が前記縮径状態から増大した「通常状態」との間で変形可能に構成されている。前記縮径状態にある装着体２１の先端部の径は、包装袋１０の貫通孔１７の径と同一又は小さく設定されている。一方、図６に示すように、前記通常状態にある装着体２１の先端部の径ｔは、包装袋１０の貫通孔１７の径ｗよりも大きく設定されている。すなわち、縮径状態にある装着体２１は、包装袋１０の貫通孔１７を貫通可能に構成されている。そして、貫通孔１７に装着体２１を挿通させた後に、その装着体２１の先端部を通常状態とすることで、包装袋１０の貫通孔１７からの装着体２１の抜け出しを抑制する抜け止め手段が構成される。
【００３８】
また、支持体２３は、弧状に湾曲して形成されており、充分な可撓性を有しているため、容易に変形することで長さ調節が可能に形成されている。すなわち、上記一対の装着体２１を互いに近づく方向へ押し縮めて装着体２１間の間隔を短縮させた場合には、同支持体２３は、外側（他の支持体２３から離間する方向）へ湾曲状にさらに撓むように構成されている。
【００３９】
そして、図７に示すように、本参考例の形状維持具３０を包装袋１０の底縁部１６に装着した場合には、同包装袋１０の貫通孔１７に形状維持具３０の装着体２１が挿通されているとともに、通常状態にある装着体２１の先端部が貫通孔１７の内縁に係合することにより貫通孔１７からの装着体２１の抜け出しが抑制されている。また、この状態において両支持体２３は、その可撓性に起因して、互いに近づく方向Ｘへ付勢されている。なお、この参考例における装着体２１は、上述したように包装袋１０の貫通孔１７に挿通されることで同包装袋１０に対する形状維持具３０の装着に寄与するものであるため、上記第１実施形態における挿通部２２に相当する。
【００４０】
さて、本参考例の形状維持具３０を包装袋１０の底縁部１６に装着する場合には、まず、各装着体２１の先端部を押し縮めて縮径状態とし、これら各装着体２１を包装袋１０の貫通孔１７にそれぞれ挿通する。その後、縮径状態にある装着体２１の先端部を解放すると、各分割片３３が互いに離間する方向へ戻され（通常状態）、装着体２１の先端部の断面積が貫通孔１７の開口断面積を上回る。このとき、装着体２１の先端部が包装袋１０の貫通孔１７内縁に係合し、同貫通孔１７からの装着体２１の抜け出しが抑制される。そして、支持体２３の所定方向Ｘへの付勢力により包装袋１０の底縁部１６が装着体２１を介して矢印Ｙ方向へ拡げられる。これにより、包装袋１０の底縁部１６間の間隔ｑが拡張されて各底縁部１６が略真円の弧状をなした状態が維持される。その結果、包装袋１０の重心が安定し、同包装袋１０の安定的な自立を確保することができる。
【００４１】
なお、上記第１実施形態及び参考例は、次のように変更して具体化することも可能である。
・  第１実施形態においては、装着体２１の第１接触板部２６に挿通部２２を設けるとともに第２接触板部２７に係合孔２８を設けたが、同第１接触板部２６に係合孔２８を設けて第２接触板部２７に挿通部２２を設ける構成を採用してもよい。
【００４２】
・  第１実施形態の形状維持具２０においては、包装袋１０の底縁部１６に装着する際に装着体２１（第１接触板部２６）を折り曲げる構成が採用されたが、この装着体２１の構成はこれに限定されるものではない。すなわち、図８（ａ）に示すように、装着体２１が予め折り曲げられてなる形状維持具４０を採用してもよい。この形状維持具４０においては、図８（ｂ）に示すように、第１接触板部２６及び第２接触板部２７のいずれか一方（同図においては第１接触板部２６）の内面に挿通部２２が突設されているとともに、第１接触板部２６は第２接触板部２７に近づく方向へ付勢されている。さらに、この構成の場合には、第２接触板部２７における係合孔を省略することができる。なお、挿通部２２の形状は、その先端が他方の壁（同図においては第２接触板部２７）の内面２７ａに当接可能であれば、特に限定されるものではない。
【００４３】
そして、この形状維持具４０を包装袋１０の底縁部１６に装着する際には、まず、装着体２１の第１接触板部２６を第２接触板部２７から離間させた状態で、それら両接触板部２６，２７の間に包装袋１０の底縁部１６を挟み込む。次いで、第１接触板部２６をその付勢力に基づいて徐々に第２接触板部２７側へ近づけ、同第１接触板部２６の挿通部２２を包装袋１０の貫通孔１７内に挿入するとともに同挿通部２２の先端を第２接触板部２７の内面２７ａに当接させる。その結果、包装袋１０の底縁部１６に装着体２１が装着されるとともに、上記第１実施形態と同様に包装袋１０の底縁部１６が拡げられ、その自立性を確保することができる。
【００４４】
・  第１実施形態においては、包装袋１０の貫通孔１７に形状維持具２０の挿通部２２を挿通することで、同包装袋１０の所定箇所に形状維持具２０を装着する構成が採用されたが、この形状維持具２０の装着態様に関してはこれに限定されるものではない。すなわち、形状維持具２０の装着体２１における第１接触板部２６と第２接触板部２７とを例えば磁石で固定可能とすることにより、包装袋１０の底縁部１６に対する装着体２１（形状維持具２０）の装着状態を維持する構成に変更してもよい。このような構成とした場合、包装袋１０の貫通孔１７を省略することができる。
【００４５】
・  第１実施形態においては、各装着体２１毎に１つの挿通部２２が設けられたが、同挿通部２２の数はこれに限定されるものではなく、各装着体２１毎に２つ以上の挿通部２２が設けられてもよい。この場合、挿通部２２の数に応じて係合孔２８の数も適宜変更される。
【００４７】
・  第１実施形態の形状維持具２０においては、支持体２３（装着体２１）と挿通部２２とが一体で設けられたが、これらは別体で設けられてもよい。例えば、図１０に示すような場合、装着体２１の第１接触板部２６において、前記折曲部２５を境界とする係合孔２８の対称箇所に、別の係合孔５４が設けられる。そして、この形状維持具２０を包装袋１０の底縁部１６に装着する場合には、装着体２１（第２接触板部２７）を包装袋１０の各底縁部１６の内面１６Ａに当接させた状態で、第１接触板部２６を上方へ折り曲げ、各接触板部２６，２７に設けられた係合孔２８，５４を、包装袋１０の貫通孔１７に位置合わせする。この状態で、挿通部２２の先端部２２Ｓを、係合孔５４及び貫通孔１７に挿通させて係合孔２８に係合させる。このような構成とした場合、挿通部２２の先端部２２Ｓの径は係合孔２８の径よりも大きく設定されるとともに、基端部２２Ｋの径は係合孔５４よりも大きく設定されることが好ましい。そうすることで、包装袋１０の貫通孔１７からの挿通部２２の抜け出しを抑制することができる。
【００４８】
・  第１実施形態の形状維持具２０における装着体２１は長四角板状に形成されたが、その形状は特に限定されるものではない。すなわち、装着体２１の形状を、例えば正四角板状や正六角板状等に適宜変更してもよい。
【００４９】
・  図１１に示すように、参考例において、形状維持具を、屈曲可能な一対の装着体２１と、これら一対の装着体２１の基端部同士を連繋してなる一対の支持体２３とから構成してもよい。この形状維持具５０を採用する場合には、包装袋１０の底縁部１６において、貫通孔１７の下方に別の貫通孔５１が形成される。そして、形状維持具５０を包装袋１０の底縁部１６に装着する場合には、縮径状態にある装着体２１の先端部を貫通孔５１に挿通させた後、この装着体２１を上方へ屈曲させ、先端部を貫通孔１７に挿通する。その後、装着体２１の先端部を通常状態に変形させることで、貫通孔１７からの装着体２１の抜け出しが抑制される。
【００５０】
・  参考例において、形状維持具３０の装着体２１の先端部は２分割されたが、
これを３分割、４分割等に変更してもよい。
・  参考例の形状維持具３０においては、支持体２３と装着体２１（挿通部）とが一体で設けられたが、これらは別体で設けられてもよい。例えば、図１２に示すような場合、例えば、一対の支持体２３を繋ぐ側壁５６に係合孔５７が設けられる。そして、この形状維持具３０を包装袋１０の底縁部１６に装着する場合には、側壁５６を包装袋１０の各底縁部１６の内面１６Ａに当接させた状態で、装着体２１の先端部２１Ｓを、貫通孔１７に挿通させて係合孔５７に係合させる。このような構成とした場合、装着体２１の先端部２１Ｓの径は係合孔５７の径よりも大きく設定されるとともに、基端部２１Ｋの径は貫通孔１７の径よりも大きく設定されることが好ましい。そうすることで、包装袋１０の貫通孔１７からの装着体２１の抜け出しを抑制することができる。
【００５１】
・  上記第１実施形態及び参考例の形状維持具２０，３０において装着体２１はそれぞれ一対設けられたが、包装袋１０の各底縁部１６に対応して少なくとも１つの装着体２１を有していれば、その数は特に限定されるものではない。すなわち、各形状維持具２０，３０における装着体２１の個数は、３つ以上であってもよい。
【００５２】
・  上記第１実施形態及び参考例の形状維持具２０，３０において支持体２３はそれぞれ一対設けられたが、その数は特に限定されるものではない。すなわち、各形状維持具２０，３０における支持体２３の個数は、１つでも３つ以上であってもよい。
【００５３】
また、この支持体２３の形状は特に限定されるものではない。すなわち、同支持体２３の形状を、例えば断面Ｖ字状、断面弧状等に適宜変更してもよい。なお、ここでいう断面とは、支持体２３の長手方向に対して垂直な断面を意味する。
【００５４】
・  上記第１実施形態及び参考例の形状維持具２０，３０において、各支持体２３に、その長さを調節する調節機構を別途設けてもよい。すなわち、図１３（ａ）に示すように、各支持体２３を２つに分割し、その一方の先端部に複数の調節孔４３を形成するとともに、他方の先端部に突部４５を設ける。そして、包装袋１０のサイズに応じて、これら複数の調節孔４３からいずれか一つの調節孔を選択し、そこに突部４５を嵌入する。その結果、包装袋１０のサイズに応じて支持体２３の長さが調節され、同包装袋１０の自立性を好適に確保することができる。
【００５５】
また、図１３（ｂ）に示すように、支持体２３を２つに分割し、その一方（第１支持体２３ａ）の先端部にその長手方向に沿って凹凸部４７を形成するとともに、他方（第２支持体２３ｂ）の先端部に断面コ字状をなす収容部４８を突設する。このような構成とした場合、第１支持体２３ａの先端部を第２支持体２３ｂの収容部４８内に挿入し、包装袋１０のサイズに応じた所定の位置で凹凸部４７を介して両支持体２３ａ，２３ｂを互いに固定する。その結果、包装袋１０のサイズに応じて支持体２３の長さが調節され、同包装袋１０の自立性を好適に確保することができる。
【００５６】
・  上記第１実施形態及び参考例においては、形状維持具２０，３０を合成樹脂により形成したが、これを金属材料により形成してもよい。
・  補強材１３が省略された包装袋１０の自立性を確保する目的で、上記第１実施形態及び参考例の形状維持具２０，３０を使用してもよい。
【００５７】
さらに、前記実施形態及び参考例より把握できる技術的思想について以下に記載する。
・  前記装着体は一対の接触板部を有しており、一方の接触板部に前記挿通部が突設されているとともに、他方の接触板部には前記挿通部が係合可能な係合孔が形成されていることを特徴とする包装袋用形状維持具。このような構成によれば、包装袋の底縁部に対する形状維持具の装着状態をより一層堅固なものとすることができる。
【００５８】
・  前記支持体は可撓性を有してなることを特徴とする包装袋用形状維持具。このような構成によれば、支持体の変形が容易となるため、包装袋の底部の形状（サイズ）に関わらず、その自立性を容易に確保することできる。
【００５９】
・  前記支持体は、前記装着体の間隔を可変にするために長さ調節が可能に構成されていることを特徴とする包装袋用形状維持具。このような構成によれば、包装袋の底縁部に形状維持具を装着する際には、同包装袋の底縁部の形状（サイズ）に応じて支持体の長さが調節可能とされる。これにより、種々の大きさの包装袋に対する形状維持具の確実な装着が維持されるようになって、形状維持具の汎用性を高めることができるとともに、如何なる大きさの包装袋であっても形状維持具の装着体と包装袋との一体性を向上させることができる。
【図面の簡単な説明】
【００６０】
【図１】第１実施形態の形状維持具が包装袋に装着された状態を示す部分斜視図。
【図２】同形状維持具が装着された包装袋を示す底面図。
【図３】（ａ）は参考例としての包装袋を示す斜視図、（ｂ）は参考例としての同包装袋の底縁部を示す斜視図。
【図４】装着前の形状維持具を示す斜視図。
【図５】（ａ）は装着前の形状維持具を示す側断面図、（ｂ）は包装袋の底縁部に同形状維持具が装着された状態を示す側断面図。
【図６】参考例としての形状維持具を示す斜視図。
【図７】参考例としての同形状維持具が装着された包装袋を示す底面図。
【図８】（ａ）は第１実施形態以外の実施形態の形状維持具を示す斜視図、（ｂ）は同形状維持具が包装袋に装着された状態を示す側断面図。
【図９】（ａ）は第１実施形態の包装袋の底縁部を示す斜視図、（ｂ）は同包装袋に第１実施形態の形状維持具が装着された状態を示す斜視図。
【図１０】第１実施形態以外の実施形態の形状維持具を示す部分拡大断面図。
【図１１】参考例としての形状維持具を示す部分拡大断面図。
【図１２】参考例としての形状維持具を示す部分拡大断面図。
【図１３】（ａ）及び（ｂ）は、各支持体の長さを調節する調節機構を設けた形状維持具が装着された包装袋を示す底面図。
【符号の説明】
【００６１】
１０…包装袋、１６…包装袋の底縁部、１７…貫通孔、２０…包装袋用形状維持具、２１…装着体、２２…挿通部、２３…支持体、２７…接触板部、３３…分割片。
【図１】
0005220994.tif 000002
【図２】
0005220994.tif 000003
【図３】
0005220994.tif 000004
【図４】
0005220994.tif 000005
【図５】
0005220994.tif 000006
【図６】
0005220994.tif 000007
【図７】
0005220994.tif 000008
【図８】
0005220994.tif 000009
【図９】
0005220994.tif 000010
【図１０】
0005220994.tif 000011
【図１１】
0005220994.tif 000012
【図１２】
0005220994.tif 000013
【図１３】
0005220994.tif 000014